(57)【要約】【課題】電気温水器等の貯水タンクユニット、自動販売機、蓄電ユニットといった固定設置物に設けられた取付脚の位置に合わせて、取付位置を容易に調節することができ、作業性に優れた固定設置物の取付架台、及び、上記取付架台と関連部材から構成される取付架台セットを提供すること。【解決手段】取付架台１は、複数の支持部材３及び隣り合う支持部材３・３同士を接続する接続部材４を備えている。接続部材４は、長さ調節機構４１を有する。【選択図】図１
2013040668.tif 000002
【特許請求の範囲】
【請求項１】
固定設置物の複数の取付部をそれぞれ支持する複数の支持部材と、隣り合う前記支持部材同士を軸方向の両端部で接続する接続部材とを備えた固定設置物の取付架台であって、
前記接続部材は、軸方向の一端部及び他端部が前記支持部材にそれぞれ連結されており、前記軸方向の長さを伸縮可能な長さ調節機構を有することを特徴とする固定設置物の取付架台。
【請求項２】
前記長さ調節機構は、前記接続部材の軸回りの回転操作により前記軸方向の長さを伸縮可能なターンバックル機構であることを特徴とする請求項１記載の固定設置物の取付架台。
【請求項３】
前記支持部材は、前記固定設置物の取付部に対する支持高さを調節可能な高さ調節機構を有することを特徴とする請求項１又は２に記載の固定設置物の取付架台。
【請求項４】
前記支持部材は、
設置面に載置される台板と、
前記台板に立設され、内周面に雌ネジ部が形成された下側筒部材と、
上部領域及び下部領域に雄ネジ部がそれぞれ形成され、前記下部領域の雄ネジ部が前記下側筒部材の雌ネジ部に固定可能に螺合された中間筒部材と、
内周面に雌ネジ部が形成され、前記中間筒部材における上部領域の雌ネジ部が固定可能に螺合された上側筒部材と、
前記上側筒部材の上面に設けられ、前記固定設置物の取付部を支持する受け板と
を備えていることを特徴とする請求項３に記載の固定設置物の取付架台。
【請求項５】
前記台板は、前記支持部材を前記設置面に固定するための固定用杭が挿通される貫通穴を有していることを特徴とする請求項４に記載の固定設置物の取付架台。
【請求項６】
前記貫通穴は、
コンクリート地盤に穿設されるコンクリート用杭が挿通される第１貫通穴と、前記コンクリートよりも軟弱な地盤に穿設される軟弱地盤用杭が挿通される第２貫通穴とを含んでいることを特徴とする請求項５に記載の固定設置物の取付架台。
【請求項７】
前記接続部材は、
前記一端部が前記支持部材に溶接により連結されている一方、前記他端部が前記支持部材にネジ部材の締結により連結されていることを特徴とする請求項１乃至６のいずれか１項に記載の固定設置物の取付架台。
【請求項８】
請求項１乃至７の何れか１項に記載の固定設置物の取付架台の取り付け方法であって、
前記支持部材が載置される地盤の土砂を土質固化材と混合し、該地盤が完全に固化する前に、前記支持部材を載置し、軟弱地盤用杭を該地盤に穿設することを特徴とする固定設置物の取付架台の取り付け方法。
【請求項９】
請求項１乃至７の何れか１項に記載の固定設置物の取付架台と、前記固定設置物の下に設置された該取付架台を隠すために当該取付架台の周囲に配置される化粧枠とを備えた固定設置物の取付架台セット。
【発明の詳細な説明】
【技術分野】
【０００１】
この発明は、電気温水器等の貯水タンクユニット、自動販売機、蓄電ユニット等の固定設置物の取り付けに用いられる取付架台、取付架台の取り付け方法、及び取付架台セットに関する。
【背景技術】
【０００２】
自然冷媒ＣＯ２ヒートポンプ給湯器（エコキュート（登録商標））のような電気温水器の貯水タンクユニット等の固定設置物を設置する方法として、地面にコンクリートを打設し、アンカーボルトを立設させて基礎を作り、このアンカーボルトに固定設置物の取付脚を固定する方法が知られている。この方法では、コンクリートの打設に手間がかかるだけでなく、打設したコンクリートの乾燥固化を待って固定設置物の取り付け作業を開始する必要があるため、より簡単な方法で短時間に固定設置物を設置する方法が求められていた。
【０００３】
近年、貯水タンクユニット用の架台として、上面にボルト・ナットが摺動可能に係合されたレールを設けたコンクリートブロックからなるものが提案されている（特許文献１参照。）。この架台には、ボルト・ナットを係合させるレールが２又は３本並設されており、貯水タンクユニットの取付脚のピッチに応じて適切なレールを選択してボルト・ナットを係合させることにより、取付脚のピッチの異なる様々な種類の貯水タンクユニットに対応することができるようになっている。
【先行技術文献】
【特許文献】
【０００４】
【特許文献１】登録実用新案第３１５３７６３号公報
【発明の概要】
【発明が解決しようとする課題】
【０００５】
しかしながら、上記従来の架台は、コンクリートブロックからなるものであるために重く、持ち運びに不便で、据付作業が重労働であった。また、コンクリートブロックを水平に設置する必要があるために、架台を設置する面を平坦に作っておく必要がある。
【０００６】
さらに、貯水タンクユニットの取付脚を固定するためのボルト・ナットの位置調節を行うためには、貯水タンクユニットの脚のピッチを測定したり、定規を当てたりする煩わしい作業が必要であった。しかもボルト・ナットの位置が固定されていない状態で架台の上に貯水タンクユニットを載せて設置するために、貯水タンクユニットの脚にボルトを挿入する際に、取付脚等がボルトに触れるとボルトの位置がずれて再調整が必要となることもあり、設置作業が全般的に煩わしいものとなっていた。
【０００７】
本発明は、上述した課題に鑑みてなされたものであり、電気温水器等の貯水タンクユニット、自動販売機、蓄電ユニットといった固定設置物に設けられた取付脚の位置に合わせて、取付位置を容易に調節することができ、作業性に優れた固定設置物の取付架台、取付架台の取り付け方法、及び取付架台セットを提供することを目的とする。
【課題を解決するための手段】
【０００８】
以上のような目的を達成するために、本発明は、固定設置物の取付架台であって、固定設置物の複数の取付部をそれぞれ支持する複数の支持部材と、隣り合う前記支持部材同士を軸方向の両端部で接続する接続部材とを備えた固定設置物の取付架台であって、前記接続部材は、軸方向の一端部及び他端部が前記支持部材にそれぞれ連結されており、前記軸方向の長さを伸縮可能な長さ調節機構を有する。
【０００９】
上記の構成によれば、各支持部材が接続部材により隣り合う支持部材同士と接続されることにより全支持部材が一体化されているので、強固な架台とすることができ、固定設置物を安定して設置できる。また、環状等に配置した複数の支持部材の中心部に形成される空間に配管（給水管、排水管等）を通すことができるので、省スペース化を図ることができる。更に、本発明の取付架台は、打設したコンクリートの乾燥固化を待って固定設置物の取り付け作業を開始する必要がなく、また、金属等の材質にすれば、特許文献１に記載されたような従来のコンクリートブロックに比して格段に軽量とし得るので、持ち運び、設置作業が楽であり、使い勝手が良い。軽量化することで、支持部材の位置決めを設置される固定設置物の取付脚に当てながら行うことも可能である。そして、長さ調節機構を有する接続部材により各支持部材を接続するので、接続部材の長さを調節することにより、固定設置物の取付脚のピッチに応じて各支持部材の配置を適宜調節できる。従って、接続部材を繋ぎ合わせて形成する多角形の形状及びサイズを多様に変化させることができ、固定設置物の取付脚の数やピッチの異なる様々な機種の固定設置物への取付に対応できる。
【００１０】
本発明における前記長さ調節機構は、前記接続部材の軸回りの回転操作により前記軸方向の長さを伸縮可能なターンバックル機構であってもよい。
【００１１】
上記の構成によれば、ターンバックル機構を利用しているので、支持部材間のピッチの調整が特に容易である。
【００１２】
本発明における前記支持部材は、前記固定設置物の取付部に対する支持高さを調節可能な高さ調節機構を有してもよい。
【００１３】
上記の構成によれば、支持部材を介して設置される固定設置物の設置面の高さに応じて、各支持部材により固定設置物の支持高さ（取付位置）を調節することができるので、設置面の高さにバラツキがあったとしても固定設置物を垂直に設置することができる。
【００１４】
本発明における前記支持部材は、設置面に載置される台板と、前記台板に立設され、内周面に雌ネジ部が形成された下側筒部材と、上部領域及び下部領域に雄ネジ部がそれぞれ形成され、前記下部領域の雄ネジ部が前記下側筒部材の雌ネジ部に固定可能に螺合された中間筒部材と、内周面に雌ネジ部が形成され、前記中間筒部材における上部領域の雌ネジ部が固定可能に螺合された上側筒部材と、前記上側筒部材の上面に設けられ、前記固定設置物の取付部を支持する受け板とを備えていてもよい。
【００１５】
上記の構成によれば、固定設置物の取付位置の高さ調整が特に容易であり、支持部材の台板を設置面に固着した後であっても受け板の高さ調整が可能である。
【００１６】
本発明における前記台板は、前記支持部材を前記設置面に固定するための固定用杭が挿通される貫通穴を有している。ここで、本発明において固定用杭とは、ネジ状物をも包含するものである。上記の構成によれば、取付架台を設置面に固定でき、固定設置物の倒壊を防止することができる。
【００１７】
本発明における前記貫通穴は、コンクリート地盤に穿設されるコンクリート用杭が挿通される第１貫通穴と、前記コンクリートよりも軟弱な地盤に穿設される軟弱地盤用杭が挿通される第２貫通穴とを含んでいてもよい。
【００１８】
上記の構成によれば、地盤の状態に影響されることなく取付架台を設置することができる。
【００１９】
本発明における前記接続部材は、前記一端部が前記支持部材に溶接により連結されている一方、前記他端部が前記支持部材にネジ部材の締結により連結されていてもよい。
【００２０】
上記の構成によれば、接続部材における他端部のネジ部材の締結により支持部材同士の連結及び連結解除を行うことができるため、取付架台の設置時における作業性が向上したものになる。また、接続部材を伸縮させることにより同じ支持部材に接続されている接続部材間の角度が変化した場合であっても、ネジ部材が締結されるネジ穴にクリアランスを持たせておけば、上記角度の変化を容易に吸収することができる。
【００２１】
本発明は、上記の構成を備えた固定設置物の取付架台の取り付け方法であって、前記支持部材が載置される地盤の土砂を土質固化材と混合し、該地盤が完全に固化する前に、前記支持部材を載置し、軟弱地盤用杭を該地盤に穿設する。
【００２２】
上記の構成によれば、取付架台の設置時において掘り出した土砂を強固な地盤として再利用するため、土砂等の廃棄物を最小限に抑制することができる。さらに、地盤が完全に固化する前に軟弱地盤用杭を穿設して設置するため、固化するまで待機するという待ち時間を削減することができることから、取付架台を短時間で容易に設置することができる。
【００２３】
本発明は、固定設置物の取付架台セットであって、上記の構成を備えた固定設置物の取付架台と、前記固定設置物の下に設置された該取付架台を隠すために当該取付架台の周囲に配置される化粧枠とを備えている。また、本発明において、上記固定設置物の取付架台セットに、取付架台の支持部材を設置面に固定するための固定具を加えてもよい。
【００２４】
上記の構成によれば、取付架台は化粧枠により隠されるので、取付架台により外観が損なわれることがない。また、化粧枠により取付架台を防護できる。固定設置物の下に配管（給水管、排水管等）が通される場合には、化粧枠により配管を防護することもできる。
【発明の効果】
【００２５】
本発明の固定設置物の取付架台及び取付架台セットによれば、電気温水器等の貯水タンクユニット、自動販売機、蓄電ユニットといった固定設置物に設けられた取付脚の位置に合わせて、取付位置を容易に調節することができる。更に、従来のコンクリートブロックを用いる方式と比べると、格段に軽量化できるため、持ち運び、設置作業の負担を軽減することができる。また、本発明の取付架台の取り付け方法によれば、従来の固定設置物の設置面にコンクリートを打設する方式と比べると、乾燥固化を待つ必要がないため、短時間で設置作業を完了することができる。
【図面の簡単な説明】
【００２６】
【図１】取付架台セットの設置状態を示すものであり、（ａ）は平面図、（ｂ）は正面図である。
【図２】固定設置物が取付架台に設置される状態を示す説明図である。
【図３】支持部材の平面図である。
【図４】支持部材の正面図である。
【図５】軟弱地盤用杭を示すものであり、（ａ）は平面図、（ｂ）は正面図である。
【図６】化粧枠を示すものであり、（ａ）は側面図、（ｂ）は平面図、（ｃ）は正面図である。
【図７】取付架台の設置方法を示す説明図である。
【図８】取付架台セットの設置状態を示す平面図である。
【発明を実施するための形態】
【００２７】
以下、本発明の実施形態について図面を参照しながら説明する。本発明は、以下の実施形態に限定されるものではなく、本発明の構成を充足する範囲内で、適宜設計変更を行うことが可能である。
【００２８】
（取付架台１の概要）
本実施形態にかかる取付架台１は、図１（ａ）・（ｂ）及び図２に示すように、固定設置物２の複数の取付部２１をそれぞれ支持する複数の支持部材３と、隣り合う支持部材３・３同士を軸方向の両端部で接続する接続部材４とを備えている。
【００２９】
具体的には、取付架台１は、３つの支持部材３と、隣接する一組の支持部材３を互いに接続する３本の接続部材４とを有している。上方から見て、３つの支持部材３は、正三角形の各頂点に対応するように配置され、３つの接続部材４は、正三角形の各辺に対応するように配置されている。
【００３０】
尚、支持部材３の配置は、固定設置物２の取付部２１の配置に応じて適宜変更されてよく、接続部材４は、後述する長さ調節機構４１によって、支持部材３の配置に応じて長さが調整される。即ち、接続部材４を繋ぎ合わせて形成される三角形の形状は、正三角形に限定されず、二等辺三角形、直角三角形等の多様な形状に調節することができる。
【００３１】
（支持部材３）
支持部材３は、固定設置物２の取付部２１に対する支持高さを調節可能な高さ調節機構３１を有している。これにより、支持部材３は、支持部材３を介して設置される固定設置物２の設置面９の高さに応じて、各支持部材３により固定設置物２の支持高さ（取付位置）を調節することができるため、設置面９の高さにバラツキがあったとしても固定設置物２を鉛直方向に設置することができるようになっている。
【００３２】
具体的に説明すると、図３及び図４に示すように、支持部材３は、設置面９に載置される台板３２と、台板３２の上面に設けられた高さ調節機構３１と、高さ調節機構３１の上端面に設けられ、固定設置物２の取付部２１を支持する受け板３３とを有している。尚、設置面９は、平坦かつ強固であることが望ましいので、例えば、軒下の犬走り等のコンクリート打設済みの面を利用することが望ましく、コンクリート打設済みの面が利用できない現場では、支持部材３の下に予めコンクリートブロック１０を配置することが望ましい。
【００３３】
（支持部材３：台板３２）
台板３２は、円盤形状に形成されている。台板３２の周縁部には、４つの切欠き部３２ａが形成されている。これらの切欠き部３２ａは、９０度間隔で等分に配置されることによって、一対の切欠き部３２ａ・３２ａが前後方向及び左右方向に対向配置されている。各切欠き部３２ａには、軟弱地盤用杭５の緩みを防止するストッパ部３２ｂが形成されている。ストッパ部３２ｂは、台板３２の一部を立設することにより形成されている。
【００３４】
切欠き部３２ａの内周側には、矩形状の第２貫通穴３２ｃが配置されている。第２貫通穴３２ｃは、軟弱地盤用杭５が挿通されるように形成されている。軟弱地盤用杭５は、図５（ａ）・（ｂ）にも示すように、コンクリートよりも軟弱な地盤に穿設されるものであり、矩形状の頭部５１と、頭部５１から突出された螺旋部５２とを有している。螺旋部５２は、長尺の板部材を螺旋状に巻回することにより形成されている。
【００３５】
これにより、軟弱地盤用杭５は、頭部５１がハンマー等の工具で打ち込まれると、螺旋部５２が回転しながら設置面９下に埋没していき、頭部５１が固定板部３２を設置面９に対して固定する。そして、上述のストッパ部３２ｂがハンマー等の工具で根元から折り曲げられ、ストッパ部３２ｂの自由端部が頭部５１の側面に当接されることによって、軟弱地盤用杭５の逆方向の回転による緩みが防止されるようになっている。尚、軟弱地盤用杭５は、２箇所以上の第２貫通穴３２ｃに挿通されるのが好ましく、この場合には、十分に台板３２を固定することが可能になる。
【００３６】
隣接する第２貫通穴３２ｃ・３２ｃ間には、２種類の開口径を有した第１貫通穴３２ｄ・３２ｅが配置されている。これらの第１貫通穴３２ｄ・３２ｅには、コンクリートブロック１０等のコンクリート地盤に穿設される図示しないコンクリート用杭（コンクリート用固定ネジを含む）が挿通されるようになっている。例えば、コンクリート地盤に対してアンカープラグにより固定するための貫通穴とし得る。尚、コンクリート用杭は、２箇所以上の第１貫通穴３２ｄ・３２ｅに挿通されるのが好ましく、この場合には、十分に台板３２を固定することが可能になる。このように、台板３２は、コンクリート地盤に穿設されるコンクリート用杭が挿通される第１貫通穴３２ｄ・３２ｅと、コンクリートよりも軟弱な地盤に穿設される軟弱地盤用杭５が挿通される第２貫通穴３２ｃとを有することによって、地盤の状態に影響されることなく取付架台１を設置することを可能にしている。
【００３７】
尚、支持部材３の材質としては、金属、樹脂が好適である。また、軟弱地盤用杭５としては、螺旋杭以外のものを用いてもよく、例えば直線状の打ち込み部を有するよく知られた構造のペグであってもよい。軟弱地盤用杭５の材質としては、金属が好適である。
【００３８】
また、台板３２の形状は、円盤形状に限定されるものではなく、矩形板状に形成されていてもよい。また、台板３２は、軟弱地盤用杭５やコンクリート用杭等のアンカー杭により設置面９に対して固定される他、接着剤により固定されてもよい。接着剤を用いる場合、第１貫通穴３２ｄ・３２ｅ及び第２貫通穴３２ｃが台板３２と接着剤との接合強度を高める役割を有する。また、台板３２の設置面９への固定方法としては、アンカー杭のみを用いてもよいし、接着剤のみを用いてもよいし、アンカー杭と接着剤とを併用してもよい。さらに、台板３２の設置面９への固定方法としては、土砂を土質固化材と混合し、地盤が完全に固化する前に、軟弱地盤用杭５を地盤に打ち込む土質固化方法であってもよい。土質固化方法の詳細については後述する。
【００３９】
（支持部材３：高さ調節機構３１）
台板３２の上面には、高さ調節機構３１が設けられている。高さ調節機構３１は、下側筒部材３１１と中間筒部材３１２と上側筒部材３１３とを有している。下側筒部材３１１は、円筒形状に形成されている。下側筒部材３１１は、台板３２に立設されている。下側筒部材３１１の下端部の外周縁部は、溶接により台板３２に接合されている。下側筒部材３１１の内周面には、雌ネジ部３１１ａが形成されている。
【００４０】
下側筒部材３１１の雌ネジ部３１１ａには、中間筒部材３１２の下側雄ネジ部３１２ａが螺合されている。下側雄ネジ部３１２ａは、中間筒部材３１２の下部領域に形成されている。また、下側雄ネジ部３１２ａには、下側ナット部材３１４が螺合されている。下側ナット部材３１４は、下端面が下側筒部材３１１の上面に当接されることによって、下側筒部材３１１と中間筒部材３１２とを固定するようになっている。これにより、下側筒部材３１１と中間筒部材３１２との緩みが防止されるようになっている。
【００４１】
また、中間筒部材３１２の上部領域には、上側雄ネジ部３１２ｂが形成されている。上側雄ネジ部３１２ｂには、上側筒部材３１３の雌ネジ部３１３ａが螺合されている。上側筒部材３１３は、円筒形状に形成されている。上側筒部材３１３の内周面には、上記の雌ネジ部３１３ａが形成されている。また、上側雄ネジ部３１２ｂには、上側ナット部材３１５が螺合されている。上側ナット部材３１５は、上端面が上側筒部材３１３の下面に当接されることによって、上側筒部材３１３と中間筒部材３１２とを固定するようになっている。これにより、上側筒部材３１３と中間筒部材３１２との緩みが防止されるようになっている。
【００４２】
このように、高さ調節機構３１は、台板３２に立設され、内周面に雌ネジ部３１１ａが形成された下側筒部材３１１と、上部領域及び下部領域に上側雄ネジ部３１２ｂ及び下側雄ネジ部３１２ａがそれぞれ形成され、下部領域の下側雄ネジ部３１２ａが下側筒部材３１１の雌ネジ部３１１ａに固定可能に螺合された中間筒部材３１２と、内周面に雌ネジ部３１３ａが形成され、中間筒部材３１２における上部領域の上側雄ネジ部３１２ｂが固定可能に螺合された上側筒部材３１３とを有している。これにより、取付架台１は、固定設置物２の取付位置の高さ調整が特に容易となり、支持部材３の台板３２を設置面９に固定した後であっても、上側筒部材３１３に設けられた受け板３３の高さ調整が可能になっている。
【００４３】
尚、高さ調節機構３１は、中間筒部材３１２の軸回りの回転操作により軸方向の長さを伸縮可能なターンバックル機構にされていてもよい。この場合には、設置面９が平坦であるときに高さ位置の調整が容易になる。
【００４４】
また、中間筒部材３１２の側周面における中間領域には、接続部材４の一端部（後述のボルト部材４３１）が挿通される挿通穴３１２ｄと、接続部材４の一端部をネジ止め可能にする取付穴３１２ｃとが形成されている。取付穴３１２ｃと挿通穴３１２ｄとは、中間筒部材３１２の中心軸を通過する直線上に中心点を有するように配置されている。即ち、取付穴３１２ｃと挿通穴３１２ｄとは対向配置されている。挿通穴３１２ｄは、水平方向に長尺を有した長穴形状に形成されている。これにより、挿通穴３１２ｄは、接続部材４の一端部を左右方向に移動自在に支持することを可能にしている。
【００４５】
また、挿通穴３１２ｄに対向配置された取付穴３１２ｃは、円形状に形成されている。挿通穴３１２ｄの直径は、接続部材４の一端部のネジ止めに使用されるナット部材の外径よりも大きな径に設定されている。これにより、取付穴３１２ｃは、接続部材４の取り付けを容易にしている。台板３２及び下側筒部材３１１は、接続部材４の一端が接続されている中間筒部材３１２に相対して回転可能とされているので、設置面９に対する第１貫通穴３２ｄ・３２ｅ及び第２貫通穴３２ｃの配置を調整できる。
【００４６】
（支持部材３：受け板３３）
高さ調節機構３１の上端面には、受け板３３が設けられている。受け板３３は、円盤形状に形成されている。受け板３３の下面は、高さ調節機構３１の上側筒部材３１３の上端面に当接されている。受け板３３と上側筒部材３１３とは、溶接により接合されている。尚、受け板１６の形状は、円盤状に限定されるものではなく、矩形等であってもよい。受け板３３は、中間筒部材３１２に対して螺合方向に正逆回転させることによって、受け板３３の高さを調節できるようになっている。
【００４７】
受け板３３の中心部には、固定設置物２を固定する固定機構３４が設けられている。固定機構３４は、頭部が受け板３３の下側に位置するように配置され、受け板３３を貫設されたボルト部材３４１と、受け板３３の上側においてボルト部材３４１に螺合されたナット部材３４２とを有している。固定機構３４は、ボルト部材３４１に固定設置物２の取付部２１を水平方向において位置決めした後、ナット部材３４２により上下方向に締結することによって、取付部２１を受け板３３に固定するようになっている。固定設置物２の詳細については後述する。
【００４８】
（接続部材４）
上記のように構成された支持部材３は、隣り合う支持部材３同士が接続部材４を介して連結されている。接続部材４は、軸方向の一端部及び他端部が支持部材３にそれぞれ連結されている。また、接続部材４は、軸方向の長さを伸縮可能な長さ調節機構４２を有している。
【００４９】
これにより、各支持部材３が接続部材４により隣り合う支持部材３同士と接続されることにより全支持部材３が一体化されているので、強固な取付架台１とすることができ、固定設置物２を安定して設置できる。また、環状等に配置した複数の支持部材３の中心部に形成される空間に配管（給水管、排水管等）を通すことができるので、省スペース化を図ることができる。また、長さ調節機構４１を有する接続部材４により各支持部材３が接続されるので、接続部材４の長さを調節することにより、固定設置物２の取付部２１（取付脚）のピッチに応じて各支持部材３の配置を適宜調節できる。従って、接続部材４を繋ぎ合わせて形成する多角形の形状及びサイズを多様に変化させることができ、固定設置物２の取付部２１の数やピッチの異なる様々な機種の固定設置物２への取り付けに対応できる。
【００５０】
具体的に説明すると、図３に示すように、接続部材４は、円筒形状の筒状体４１と、筒状体４１の両端部に配置された長さ調節機構４２・４３とを有している。長さ調節機構４２・４３は、隣接する支持部材３同士の距離を調節することを可能にしている。尚、本実施形態では、３本の接続部材４により全ての支持部材３を環状に接続して一体化することによって、組立て後の取付架台１の強度を向上させており、大きな重量の固定設置物２であっても安定した設置状態を実現することを可能にしている。
【００５１】
接続部材４の一端部に配置された長さ調節機構４２は、棒状の雄ネジ部材４２１と、雄ネジ部材４２１に螺合されたナット部材４２２と、雄ネジ部材４２１の一端部に螺合された雌ネジ筒部材４２３と、雌ネジ筒部材４２３とナット部材４２２との間に設けられたワッシャ４２４とを有している。雄ネジ部材４２１の他端部は、中間筒部材３１２の側壁面に溶接により接合されている。尚、雄ネジ部材４２１は、筒状体４１とは別に、中間筒部材３１２の側壁面に予め取り付けられている。また、雌ネジ筒部材４２３は、筒状体４１に接続されている。これにより、長さ調節機構４２は、筒状体４１を周方向に回転させることによって、雄ネジ部材４２１に対して筒状体４１を進退移動させることが可能になっていると共に、ナット部材４２２の締結により筒状体４１を軸方向の所定位置で固定することが可能になっている。
【００５２】
一方、接続部材４の他端部に配置された長さ調節機構４３は、中間筒部材３１２の内周側に頭部が位置するように配置されていると共に、ネジ部が挿通穴３１２ｄを貫設されたボルト部材４３１と、ボルト部材４３１のネジ部における根元領域に螺合されたナット部材４３３と、ナット部材４３３と中間筒部材３１２の側壁面との間に設けられたワッシャ４３２とを有している。尚、ボルト部材４３１は、筒状体４１とは別に、中間筒部材３１２の側壁に予め取り付けられている。これにより、長さ調節機構４３は、中間筒部材３１２の挿通穴３１２ｄの長径方向に移動可能及び固定可能にされている。即ち、長さ調節機構４３は、接続部材４の他端部を水平方向（長径方向）に移動可能にしている。
【００５３】
さらに、長さ調節機構４３は、ボルト部材４３１におけるネジ部における先端領域に螺合されたナット部材４３４と、ボルト部材４３１のネジ部の先端部に螺合された雌ネジ筒部材４３６と、雌ネジ筒部材４３６とナット部材４３４との間に設けられたワッシャ４３５とを有している。雌ネジ筒部材４３６は、筒状体４１に接続されている。これにより、長さ調節機構４３は、筒状体４１を周方向に回転させることによって、ボルト部材４３１に対して筒状体４１を進退移動させることが可能になっていると共に、ナット部材４３４の締結により筒状体４１を軸方向の所定位置で固定することが可能になっている。
【００５４】
このように、接続部材４は、一端部の長さ調節機構４２が支持部材３に対して溶接により連結されている一方、他端部の長さ調節機構４３が支持部材３に対してボルト部材４３１及びナット部材４３３を備えたネジ部材の締結により連結されている。これにより、取付架台１は、接続部材４における他端部のネジ部材の締結により支持部材３同士の連結及び連結解除を行うことができるため、取付架台１の設置時における作業性が向上したものになっている。
【００５５】
上記の長さ調節機構４２・４３は、ターンバックル機構により構成されている。具体的には、内周面にネジ切りが施された構造の雌ネジ筒部材４２３及び雌ネジ筒部材４３６が逆ネジに形成されている。これにより、筒状体４１を雄ネジ部材４２１及びボルト部材４３１に対して回転させたときに、雄ネジ部材４２１及びボルト部材４３１が筒状体４１中へと引き込まれ、逆に回転させたときに、雄ネジ部材４２１及びボルト部材４３１が筒状体４１中から両端方向へと押し出されるので、雄ネジ部材４２１及びボルト部材４３１が筒状体４１から出る長さを自在に且つ同時に変化させることができ、接続部材４全体の長さを適宜調節できる。この結果、支持部材３間のピッチの調整が容易になっている。
【００５６】
尚、接続部材４の材質としては、金属が好適である。また、筒状体４１は、全体が筒状にされていてもよいし、側面に開口を設けて両端部のみが筒状にされていてもよい。さらに、本実施形態では、長さ調節機構４２・４３として、ターンバックル構造を例示したが、長さ調整機構の種類は特に限定されない。例えば、一定間隔でネジ穴が形成された小径パイプを、一定間隔で穴が形成された大径パイプ中に挿入し、外側から蝶ボルトにより２つのパイプを固定する機構であっても、蝶ボルトを差し込む穴を変えることにより接続部材の長さを変えることが可能であり、長さ調節機構として機能し得る。
【００５７】
（取付架台セット７、化粧枠６）
上記の取付架台１は、図１（ａ）・（ｂ）及び図２に示すように、化粧枠６により外部への露出が防止されている。取付架台１と化粧枠６とは、取付架台セット７の主要部を構成している。化粧枠６は、固定設置物２の下に設置された取付架台１を隠すために取付架台１の周囲に配置されるように形成されている。これにより、取付架台１は、化粧枠６により隠されるので、取付架台１により外観が損なわれることがないと共に、化粧枠６により防護される。また、固定設置物２の下に配管（給水管、排水管等）が通される場合には、化粧枠により配管を防護することもできる。
【００５８】
具体的に説明すると、取付架台１の周囲には、化粧枠６が環状に設けられている。化粧枠６に囲まれる領域には、コンクリートを打設してもよいし、打設しなくてもよい。コンクリートを打設する場合（湿式工法）においては、取付架台１を防護し、補強することができる。湿式工法であっても、取付架台セット７の組立後にコンクリートを流し込むので、コンクリートの乾燥固化を待つことなく、固定設置物２の取り付け作業を行うことができる。また、固定設置物２の取り付け作業後にコンクリートを流し込んでもよく、この場合も作業中にコンクリートの乾燥固化を待つ必要がない。従って、コンクリートの乾燥固化を待つことによる作業効率の低下を防止できる。一方、コンクリートを打設しない場合（乾式工法）においては、固定設置物２の設置後であっても容易に取付架台を撤去することができるので、固定設置物２が不要となった場合や設置位置を変更したいときに、設置前の状態に設置場所を回復させることが容易である。
【００５９】
化粧枠６は、図６（ａ）・（ｂ）・（ｃ）に示すように、設置面９に対して垂直に立設される４枚の壁部６１と、前面側の壁部６１の両端部を側面側の壁部６１に連結する一対の連結部６２・６２とを有している。背面側の壁部６１は、両端面が側面側の壁部６１・６１にビス止めにより連結されている。これにより、固定設置物２の奥行きに応じて側面側の壁部６１を切断することによって、固定設置物２の平面形状に応じた化粧枠６を容易に形成することが可能になっている。
【００６０】
（固定設置物２）
図３に示すように、取付架台１に設置される固定設置物２としては、電気温水器の貯水タンクユニットが例示される。尚、固定設置物２の種類は、特に限定されるものではなく、自動販売機、蓄電ユニット等であってもよい。また、固定設置物２は、屋外に設置される屋外設置物が好適であるが、地下等の屋内に設置されるものであってもよい。
【００６１】
固定設置物２は、本体２２と、本体２２の下面に配置された複数の取付部２１とを有している。取付部２１の中央には、図示しない開口部が形成されている。開口部は、固定機構３４のボルト部材３４１を挿通可能な大きさに設定されている。取付部２１は、開口部にボルト部材３４１を挿通させ、固定設置物２側からナット部材３４２で締め付けることにより、固定設置物２を支持部材３に固定することが可能になっている。
【００６２】
（取付架台１の取り付け方法）
次に、取付架台１を土質固化方法により取り付ける手順について説明する。
図７（ａ）に示すように、先ず、固定設置物２の設置予定位置に穴９１が掘られる。このとき、穴深さは、取付架台１の高さとなる３０ｃｍ程度とされる。そして、掘り出した土砂９２にセメント系固化材（土質固化材）が投入され、セメント系固化材と土砂とが混合される。ここで、セメント系固化材とは、土の力学的及び物理的性質の向上を目的に、セメントの水和反応によって化学的に土を固化するために用いられるセメントを主成分とした土質安定処理材をいう。例えば、セメント系固化材としては、住友大阪セメント株式会社製の登録商標「タフロック」「TOUGHLOCK」「タフロックエース」を用いることができる。尚、土を固化するものであれば、セメント系の固化材に限定されるものではなく、その他の土質固化材を適用することもできる。
【００６３】
次に、図７（ｂ）に示すように、セメント系固化材を混合された土砂９３が穴９１に埋め戻される。この後、図７（ｃ）に示すように、埋め戻された地盤（土砂９３）が完全に固化する前に、支持部材３が地盤の設置面９に載置され、固定設置物２の取付部２１に対応した位置に位置決めされる。この後、軟弱地盤用杭５が台板３２の第２貫通穴３２ｃを介して地盤に穿設される。そして、１枚の台板３２に対して２以上の軟弱地盤用杭５が打ち込まれた後、図７（ｄ）に示すように、ストッパ部３２ｂが折り曲げられて軟弱地盤用杭５の頭部に当接されることによって、軟弱地盤用杭５の巻き戻しが防止される。
【００６４】
このように、土質固化方法は、支持部材３が載置される地盤の土砂９２を土質固化材と混合し、地盤が完全に固化する前に、支持部材３を載置し、軟弱地盤用杭５を地盤に穿設するようになっている。これにより、取付架台１の設置時において掘り出した土砂９２が強固な地盤（土砂９３）として再利用されるため、土砂９２等の廃棄物が最小限に抑制される。さらに、地盤が完全に固化する前に軟弱地盤用杭５が穿設されるため、固化するまで待機するという待ち時間を削減することができることから、取付架台１を短時間で容易に設置することができる。
【００６５】
この後、全ての支持部材３の上面の高さ位置が水平方向に一致するように、高さ調節機構３１により調整される。そして、接続部材４の軸方向の長さが調節されながら支持部材３同士が連結される。取付架台１が組み上げられると、図２に示すように、固定設置物２の取付部２１が支持部材３上に載置され、ボルト締めにより固定される。次に、化粧枠６が取付架台１の周囲に設けられる。
【００６６】
以上のように、本実施形態に係る取付架台１は、支持部材３の高さを変えることにより、固定設置物２の取付部２１の高さを調整可能であり、かつ接続部材４の長さを変えることにより、支持部材３間の距離を調整可能であることから、固定設置物２の設置面９の平坦性や取付部２１の配置間隔に関わらず、適用可能であり、汎用性に優れている。また、取付架台１の組立ては、固定設置物２の設置現場で行う必要はなく、別の場所において所定の寸法で組立てた取付架台１を設置現場に持ってきて設置面９に固定してもよい。取付架台１の寸法調整は、組立後に、いつでもどこでも可能であるので、必要に応じて寸法を再調整してもよい。例えば、固定設置物２の外箱に取付部２１の位置を印しておけば、物差し等の道具を使わずとも、外箱に印された取付部２１の位置と実際の取付架台１とを照らし合わせることにより、組立て及び寸法調整が可能である。このように実施形態に係る取付架台１は、作業性においても優れている。
【００６７】
以上、本実施形態に係る取付架台１の説明を行ったが、本発明の趣旨を逸脱しない範囲内であれば、上記実施形態を適宜変更してもよい。例えば、図８に示すように、取付架台１は、上方から見て、長方形の各頂点に対応するように配置された４つの支持部材３と、長方形の３辺に対応するように配置された３本の接続部材４とを有していてもよい。また、取付架台１は、必要に応じて長方形の４辺に対応するように４本の接続部材４を用いてもよく、このように複数の支持部材３の各々が、隣り合う少なくとも２つの支持部材３と接続部材４により接続するようにしたときには、より強固に取付架台１を組み上げることができる。
【符号の説明】
【００６８】
１  取付架台
２  保管対象物
３  支持部材
４  接続部材
５  軟弱地盤用杭
６  化粧枠
７  取付架台セット
８  穴
９  設置面
１０  コンクリートブロック
【図１】
2013040668.tif 000003
【図２】
2013040668.tif 000004
【図３】
2013040668.tif 000005
【図４】
2013040668.tif 000006
【図５】
2013040668.tif 000007
【図６】
2013040668.tif 000008
【図７】
2013040668.tif 000009
【図８】
2013040668.tif 000010